(57)【要約】【課題】浴槽水の追い焚き時に、浴槽内に高温の浴槽水を流出させるのを防止して入浴者に不快感を与えることのない風呂装置を提供する。【解決手段】浴槽４と風呂熱交換器２７を風呂往き管２８と風呂戻り管２９にて接続し形成した風呂循環回路３０と、風呂熱交換器２７から浴槽４に向かう浴槽水の温度を検出する温度検出手段３２と、風呂往き管２８と風呂戻り管２９を連通し浴槽４をバイパスする浴槽バイパス管３５と、少なくとも、風呂熱交換器２７で加熱された浴槽水を浴槽バイパス管３５に流し浴槽４をバイパスさせる第１の状態と、風呂熱交換器２７で加熱された浴槽水をそのまま浴槽４に流入させる第２の状態とに切替可能な流路切替手段３６とを備え、浴槽水を追い焚き目標温度に追い焚きするものにおいて、追い焚き時に、温度検出手段３２の検出温度が追い焚き目標温度より高い第１温度よりも高い場合は、流路切替手段３６を第１の状態とするようにした。【選択図】  図３
2011012891.tif 000002
【特許請求の範囲】
【請求項１】
浴槽と、浴槽水を加熱する風呂熱交換器と、前記浴槽と前記風呂熱交換器を風呂往き管と風呂戻り管にて接続し形成した風呂循環回路と、該風呂循環回路に設けた風呂循環ポンプと、前記風呂熱交換器から前記浴槽に向かう浴槽水の温度を検出する温度検出手段と、前記風呂往き管と前記風呂戻り管を連通し前記浴槽をバイパスする浴槽バイパス管と、少なくとも、前記風呂熱交換器で加熱された前記浴槽水を前記浴槽バイパス管に流し前記浴槽をバイパスさせる第１の状態と、前記風呂熱交換器で加熱された前記浴槽水をそのまま前記浴槽に流入させる第２の状態とに切替可能な流路切替手段とを備え、前記浴槽水を前記風呂熱交換器に循環して追い焚き目標温度になるように追い焚きを行わせるようにした風呂装置において、前記追い焚き時に、前記温度検出手段の検出温度が前記追い焚き目標温度より高い予め設定した第１温度よりも高い場合は、前記流路切替手段を前記第１の状態とするようにしたことを特徴とする風呂装置。
【請求項２】
前記追い焚き目標温度より高く前記第１温度よりも低い第２温度を設け、前記追い焚き時に、前記温度検出手段の検出温度が前記追い焚き目標温度以上で前記第２温度より低い場合は、前記流路切替手段を前記第２の状態とし、前記温度検出手段の検出温度が前記第２温度以上で前記第１温度より低い場合は、前記流路切替手段を前記第２の状態より前記浴槽に流入させる前記浴槽水を減少させる第３の状態とするようにしたことを特徴とする請求項１記載の風呂装置。
【請求項３】
前記追い焚き時に、前記温度検出手段の検出温度が前記追い焚き目標温度より低い場合は、前記流路切替手段を前記第１の状態とするようにしたことを特徴とする請求項１または２記載の風呂装置。
【請求項４】
追い焚き停止時は、前記流路切替手段を前記第１の状態で待機させるようにしたことを特徴とする請求項１から３の何れか一項に記載の風呂装置。
【請求項５】
浴槽水を浴槽内に流入させる風呂往き管と、前記浴槽水を前記浴槽外に流出させる風呂戻り管と、前記風呂往き管の前記浴槽水の温度を検出する温度検出手段と、前記風呂往き管と前記風呂戻り管を連通し前記浴槽をバイパスする浴槽バイパス管と、少なくとも、前記風呂往き管からの前記浴槽水を前記浴槽バイパス管に流し前記浴槽をバイパスさせる第１の状態と、前記風呂往き管からの前記浴槽水をそのまま前記浴槽に流入させる第２の状態とに切替可能な流路切替手段とを備え、前記浴槽水を循環させて追い焚き目標温度になるように加熱させる追い焚き時に、前記温度検出手段の検出温度が前記追い焚き目標温度より高い予め設定した第１温度よりも高い場合は、前記流路切替手段を前記第１の状態とするようにしたことを特徴とする浴槽用循環具。
【請求項６】
前記追い焚き目標温度より高く前記第１温度よりも低い第２温度を設け、前記追い焚き時に、前記温度検出手段の検出温度が前記追い焚き目標温度以上で前記第２温度より低い場合は、前記流路切替手段を前記第２の状態とし、前記温度検出手段の検出温度が前記第２温度以上で前記第１温度より低い場合は、前記流路切替手段を前記第２の状態より前記浴槽に流入させる前記浴槽水を減少させる第３の状態とするようにしたことを特徴とする請求項５記載の浴槽用循環具。
【請求項７】
前記追い焚き時に、前記温度検出手段の検出温度が前記追い焚き目標温度より低い場合は、前記流路切替手段を前記第１の状態とするようにしたことを特徴とする請求項５または６記載の浴槽用循環具。
【請求項８】
追い焚き停止時は、前記流路切替手段を前記第１の状態で待機させるようにしたことを特徴とする請求項５から７の何れか一項に記載の浴槽用循環具。
【発明の詳細な説明】
【技術分野】
【０００１】
この発明は、浴槽水を追い焚きするものにおいて、追い焚き時に高温の浴槽水が浴槽内に流入するのを防止する風呂装置および浴槽用循環具に関するものである。
【背景技術】
【０００２】
従来この種の風呂装置においては、図５に示すように、浴槽１０１と、浴槽水を加熱する風呂熱交換器１０２と、風呂熱交換器１０２を加熱する加熱手段１０３と、浴槽１０１と風呂熱交換器１０２を接続する風呂往き管１０４、風呂戻り管１０５と、風呂戻り管１０５に設けた風呂循環ポンプ１０６と、風呂熱交換器１０２から浴槽１０１に向かう浴槽水の温度を検出する温度センサ１０７と、風呂往き管１０４と風呂戻り管１０５を連通し浴槽１０１をバイパスする浴槽バイパス管１０８とを備えると共に、浴槽水を加熱する追い焚き時に、温度センサ１０７で検出する浴槽水温が低い場合は、浴槽バイパス管１０８側を開いて、浴槽１０１をバイパスして、浴槽バイパス管１０８、風呂戻り管１０５、風呂熱交換器１０２、風呂往き管１０４、浴槽バイパス管１０８の間で浴槽水を循環させ、温度センサ１０７で検出する浴槽水温が設定温度以上になったら、浴槽１０１側を開いて、浴槽１０１、風呂戻り管１０５、風呂熱交換器１０２、風呂往き管１０４の間で浴槽水を循環させる流路切替手段１０９を備え、追い焚き開始時に浴槽１０１内に冷水が流入するのを防止するものであり、さらに、浴槽バイパス管１０８と流路切替手段１０９を浴槽用循環具内に設け、上記したものと同様の制御を行うものもあった。（例えば、特許文献１参照。）
【先行技術文献】
【特許文献】
【０００３】
【特許文献１】実開平５−８３３８号公報
【発明の概要】
【発明が解決しようとする課題】
【０００４】
ところで、この従来のものにおいて、風呂熱交換器１０２を加熱する加熱手段１０３としては、給湯用の熱交換器と風呂用の熱交換器とを１つのバーナで加熱する１缶２水路式と呼ばれる給湯機のバーナの燃焼熱を利用するものがあり、このものでは、前記追い焚きを行っていない状態でも、給湯要求があり給湯が使用されていれば、給湯用の熱交換器と共に風呂熱交換器１０２は加熱され、風呂熱交換器１０２内の浴槽水は加熱されるものである。ここで、例えば６０℃以上の高温の給湯要求が発生したとすると、給湯用の熱交換器が加熱されて高温の湯が給湯される共に、風呂熱交換器１０２内の浴槽水も加熱され、高温の浴槽水が滞留することになる。この状態で、追い焚き要求が発生し、浴槽水を加熱する追い焚きが開始されると、前記流路切替手段１０９は、先に説明したように、温度センサ１０７で検出する浴槽水温が設定温度以上であると浴槽１０１側を開くので、風呂熱交換器１０２内に滞留していた高温の浴槽水の温度が設定温度と比較して著しく高い場合であっても、浴槽１０１内に流入させることになる。この時、入浴者が入浴していた場合は、急に高温の浴槽水と接触するため、熱過ぎると感じ不快感を与えてしまうおそれがあった。
【０００５】
また、高温の温水が貯湯された貯湯缶体の中に風呂熱交換器１０２を配設し、加熱手段１０３として貯湯缶体内の高温の温水を利用するものもあり、このものでは、前記追い焚きを行っていない場合、風呂熱交換器１０２内に残された浴槽水は貯湯缶体内の温水と熱交換して貯湯缶体内の高温の温水とほぼ同じ温度にまで沸き上げられてしまう。この状態で、追い焚き要求が発生し、浴槽水を加熱する追い焚きが開始されると、先程と同様、高温の浴槽水を浴槽１０１内に流入させることになる。この時、入浴者が入浴していた場合は、急に高温の浴槽水と接触するため、熱過ぎると感じ不快感を与えてしまうおそれがあった。
【課題を解決するための手段】
【０００６】
この発明は上記課題を解決するために、特に請求項１ではその構成を、浴槽と、浴槽水を加熱する風呂熱交換器と、前記浴槽と前記風呂熱交換器を風呂往き管と風呂戻り管にて接続し形成した風呂循環回路と、該風呂循環回路に設けた風呂循環ポンプと、前記風呂熱交換器から前記浴槽に向かう浴槽水の温度を検出する温度検出手段と、前記風呂往き管と前記風呂戻り管を連通し前記浴槽をバイパスする浴槽バイパス管と、少なくとも、前記風呂熱交換器で加熱された前記浴槽水を前記浴槽バイパス管に流し前記浴槽をバイパスさせる第１の状態と、前記風呂熱交換器で加熱された前記浴槽水をそのまま前記浴槽に流入させる第２の状態とに切替可能な流路切替手段とを備え、前記浴槽水を前記風呂熱交換器に循環して追い焚き目標温度になるように追い焚きを行わせるようにした風呂装置において、前記追い焚き時に、前記温度検出手段の検出温度が前記追い焚き目標温度より高い予め設定した第１温度よりも高い場合は、前記流路切替手段を前記第１の状態とするものとした。
【０００７】
また、請求項２では、前記追い焚き目標温度より高く前記第１温度よりも低い第２温度を設け、前記追い焚き時に、前記温度検出手段の検出温度が前記追い焚き目標温度以上で前記第２温度より低い場合は、前記流路切替手段を前記第２の状態とし、前記温度検出手段の検出温度が前記第２温度以上で前記第１温度より低い場合は、前記流路切替手段を前記第２の状態より前記浴槽に流入させる前記浴槽水を減少させる第３の状態とするものとした。
【０００８】
また、請求項３では、前記追い焚き時に、前記温度検出手段の検出温度が前記追い焚き目標温度より低い場合は、前記流路切替手段を前記第１の状態とするものとした。
【０００９】
また、請求項４では、追い焚き停止時は、前記流路切替手段を前記第１の状態で待機させるものとした。
【００１０】
また、請求項５では、浴槽水を浴槽内に流入させる風呂往き管と、前記浴槽水を前記浴槽外に流出させる風呂戻り管と、前記風呂往き管の前記浴槽水の温度を検出する温度検出手段と、前記風呂往き管と前記風呂戻り管を連通し前記浴槽をバイパスする浴槽バイパス管と、少なくとも、前記風呂往き管からの前記浴槽水を前記浴槽バイパス管に流し前記浴槽をバイパスさせる第１の状態と、前記風呂往き管からの前記浴槽水をそのまま前記浴槽に流入させる第２の状態とに切替可能な流路切替手段とを備え、前記浴槽水を循環させて追い焚き目標温度になるように加熱させる追い焚き時に、前記温度検出手段の検出温度が前記追い焚き目標温度より高い予め設定した第１温度よりも高い場合は、前記流路切替手段を前記第１の状態とするものとした。
【００１１】
また、請求項６では、前記追い焚き目標温度より高く前記第１温度よりも低い第２温度を設け、前記追い焚き時に、前記温度検出手段の検出温度が前記追い焚き目標温度以上で前記第２温度より低い場合は、前記流路切替手段を前記第２の状態とし、前記温度検出手段の検出温度が前記第２温度以上で前記第１温度より低い場合は、前記流路切替手段を前記第２の状態より前記浴槽に流入させる前記浴槽水を減少させる第３の状態とするものとした。
【００１２】
また、請求項７では、前記追い焚き時に、前記温度検出手段の検出温度が前記追い焚き目標温度より低い場合は、前記流路切替手段を前記第１の状態とするものとした。
【００１３】
また、請求項８では、追い焚き停止時は、前記流路切替手段を前記第１の状態で待機させるものとした。
【発明の効果】
【００１４】
この発明の請求項１によれば、追い焚き時に、温度検出手段の検出温度が追い焚き目標温度より高い予め設定した第１温度よりも高い場合は、流路切替手段を浴槽をバイパスさせる第１の状態とすることで、追い焚き開始前に風呂熱交換器内に滞留していた高温の浴槽水が循環されたとしても、高温の浴槽水を浴槽内に流入させることがないので、入浴者に熱過ぎるといった不快感を与えることがなく、快適な追い焚きを提供できるものである。
【００１５】
また、請求項２によれば、追い焚き目標温度より高く第１温度よりも低い第２温度を設け、追い焚き時に、温度検出手段の検出温度が追い焚き目標温度以上で第２温度より低い場合は、流路切替手段を第２の状態とし、温度検出手段の検出温度が第２温度以上で第１温度より低い場合は、流路切替手段を第２の状態より浴槽に流入させる浴槽水を減少させる第３の状態とすることで、入浴者に不快感を与えない温度範囲では、流路切替手段を前記第２の状態として、追い焚きをスムーズに行うことができ、入浴者に不快感を与えそうな温度範囲では、流路切替手段を前記第３の状態として、浴槽内に流入させる浴槽水量を減少させることにより、入浴者が体感する熱さを緩和させることができ、入浴者に不快感を与えることがなく、快適な追い焚きを提供できるものである。
【００１６】
また、請求項３によれば、追い焚き時に、温度検出手段の検出温度が追い焚き目標温度より低い場合は、流路切替手段を浴槽をバイパスさせる第１の状態とすることで、追い焚き時に、風呂循環回路に滞留していた低温の浴槽水を浴槽内に流入させることがないので、浴槽内に低温の浴槽水が流入することによる不快感を入浴者に与えることがなく、快適な追い焚きを提供できるものである。
【００１７】
また、請求項４によれば、追い焚き停止時に、風呂循環回路の凍結防止運転が行われた場合であっても、風呂循環回路に滞留する低温の浴槽水を浴槽内に流入させることがないので、浴槽内の湯温を下げることがないものであり、この時に入浴者が入浴していた場合でも、浴槽内に低温の浴槽水が流入させることがなく、低温の浴槽水侵入による不快感を入浴者に与えることがないものである。
【００１８】
また、請求項５によれば、追い焚き時に、温度検出手段の検出温度が追い焚き目標温度より高い予め設定した第１温度よりも高い場合は、流路切替手段を浴槽をバイパスさせる第１の状態とすることで、高温の浴槽水が循環されたとしても、高温の浴槽水を浴槽内に流入させることがないので、入浴者に熱過ぎるといった不快感を与えることがなく、快適な追い焚きを提供できるものである。
【００１９】
また、請求項６によれば、追い焚き目標温度より高く第１温度よりも低い第２温度を設け、追い焚き時に、温度検出手段の検出温度が追い焚き目標温度以上で第２温度より低い場合は、流路切替手段を第２の状態とし、温度検出手段の検出温度が第２温度以上で第１温度より低い場合は、流路切替手段を第２の状態より浴槽に流入させる浴槽水を減少させる第３の状態とすることで、入浴者に不快感を与えない温度範囲では、流路切替手段を前記第２の状態として、追い焚きをスムーズに行うことができ、入浴者に不快感を与えそうな温度範囲では、流路切替手段を前記第３の状態として、浴槽内に流入させる浴槽水量を減少させることにより、入浴者が体感する熱さを緩和させることができ、入浴者に不快感を与えることがなく、快適な追い焚きを提供できるものである。
【００２０】
また、請求項７によれば、追い焚き時に、温度検出手段の検出温度が追い焚き目標温度より低い場合は、流路切替手段を浴槽をバイパスさせる第１の状態とすることで、追い焚き時に、低温の浴槽水を浴槽内に流入させることがないので、浴槽内に低温の浴槽水が流入することによる不快感を入浴者に与えることがなく、快適な追い焚きを提供できるものである。
【００２１】
また、請求項８によれば、追い焚き停止時に、風呂往き管および風呂戻り管の凍結防止運転が行われた場合であっても、低温の浴槽水を浴槽内に流入させることがないので、浴槽内の湯温を下げることがないものであり、この時に入浴者が入浴していた場合でも、浴槽内に低温の浴槽水が流入させることがなく、低温の浴槽水侵入による不快感を入浴者に与えることがないものである。
【図面の簡単な説明】
【００２２】
【図１】この発明の一実施形態の風呂装置の概略構成図。
【図２】同一実施形態で用いる三方弁の動作説明図。
【図３】同一実施形態の浴槽水の追い焚き運転を示すフローチャート。
【図４】この発明の他の実施形態の風呂装置の概略構成図。
【図５】従来例の風呂装置の概略構成図。
【発明を実施するための形態】
【００２３】
次に、この発明の一実施形態の風呂装置を図１に基づき説明する。
１は湯水を貯湯する貯湯タンク２を備えた貯湯タンクユニット、３は貯湯タンク２内の湯水を加熱する加熱手段としてのヒートポンプユニット、４は浴槽、５はこの風呂装置を遠隔操作するリモコンである。
【００２４】
６は貯湯タンク２とヒートポンプユニット３とを循環可能に接続するヒーポン循環回路で、貯湯タンク２下部に接続されたヒーポン往き管７および貯湯タンク２上部に接続されたヒーポン戻り管８により構成され、ヒーポン往き管７から取り出した貯湯タンク２内の湯水をヒートポンプユニット３によって沸き上げてヒーポン戻り管８から貯湯タンク２内に戻して高温の温水を貯湯するものである。なお、貯湯タンク２側面には上下方向に複数個の貯湯温度検出手段としての貯湯温度センサ９を有しており、この貯湯温度センサ９が検出する温度情報によって、貯湯タンク２にどれだけの熱量が残っているかを検知するものである。
【００２５】
１０は貯湯タンク２上端に接続され貯湯タンク２内の温水を出湯する出湯管、１１は貯湯タンク２下端に接続され貯湯タンク２内に給水する給水管、１２は出湯管１０からの温水と給水管１１からの水とを所定の設定温度になるように混合する混合弁、１３は混合弁１２で混合された設定温度の温水を給湯する給湯管、１４は給湯管１３の端部に接続され台所や洗面所等に設けられた蛇口である。１５は混合弁１２の下流に設けた給湯温度センサ、１６は給湯量をカウントする給湯流量センサである。なお、１７は水道圧を所定の圧力に減圧する減圧弁、１８は給水の温度を検出する給水温度センサ、１９は貯湯タンク２の過圧を逃す過圧逃し弁である。
【００２６】
前記ヒートポンプユニット３は、冷媒を圧縮する回転数可変の圧縮機２０と、凝縮器としての水冷媒熱交換器２１と、減圧手段としての電子膨張弁２２と、強制空冷式の蒸発器としての空気熱交換器２３とで構成されたヒートポンプ回路２４と、前記ヒーポン往き管７に設けられ貯湯タンク２内の湯水を水冷媒熱交換器２１に循環させるヒーポン循環ポンプ２５と、それらの駆動を制御するヒーポン制御部２６とを備えているものである。
【００２７】
２７は前記浴槽４内の浴槽水を加熱するための蛇管よりなる風呂熱交換器であり、貯湯タンク２内の上部に配置されるもので、この風呂熱交換器２７と浴槽４とを、浴槽水を浴槽４内に流入させる風呂往き管２８および浴槽水を浴槽４外に流出させる風呂戻り管２９で接続して風呂循環回路３０を形成し、浴槽４内の浴槽水が貯湯タンク２内の高温の温水により加熱されて追い焚きが行われるものである。３１は風呂循環回路３０に設けられ浴槽４内の浴槽水を循環させる風呂循環ポンプ、３２は風呂往き管２８に設けられ風呂熱交換器２７から浴槽４に向かう浴槽水の温度を検出する風呂往き温度検出手段としての風呂往き温度センサ、３３は風呂戻り管２９に設けられ浴槽４から風呂熱交換器２７に向かう浴槽水の温度を検出する風呂戻り温度検出手段としての風呂戻り温度センサである。
【００２８】
３４は、風呂往き管２８と、風呂戻り管２９と、風呂往き温度センサ３２と、浴槽４の近傍で風呂循環ポンプ３１および風呂往き温度センサ３２よりも浴槽４側の風呂往き管２８と風呂戻り管２９を連通し浴槽４をバイパスする浴槽バイパス管３５と、この浴槽バイパス管３５と風呂往き管２８との接続部分に設けられた流路切替手段としての三方弁３６とで構成された浴槽用循環具であり、この浴槽用循環具３４は浴槽４の近傍に設けられたものである。なお、３７は風呂往き温度センサ３２の入力を受け三方弁３６の駆動を制御するマイコンを有する流路切替制御部である。
【００２９】
前記三方弁３６は、流入側の接続口３６ａに風呂往き管２８の風呂熱交換器２７側を接続し、２つの流出側の接続口３６ｂ、３６ｃのうち、一方の接続口３６ｂには浴槽４の入口側を接続し、他方の接続口３６ｃには浴槽バイパス管３５側を接続するものであり、ステッピングモータの駆動で内方の弁体を動かして、図２（ア）に示すような風呂往き管２８の風呂熱交換器２７側と浴槽バイパス管３５側を連通すると共に浴槽４側を閉塞し、風呂熱交換器２７で加熱された浴槽水を浴槽バイパス管３５側に流し浴槽４をバイパスさせる第１の状態と、図２（イ）に示すような風呂往き管２８の風呂熱交換器２７側と浴槽４側を連通すると共に浴槽バイパス管３５側を閉塞し、風呂熱交換器２７で加熱された浴槽水の全量をそのまま浴槽４側に流入させる第２の状態と、図２（ウ）に示すような全接続口３６ａ、３６ｂ、３６ｃを開放し、風呂往き管２８の風呂熱交換器２７側と浴槽４側と浴槽バイパス管３５側の全てを連通し、前記第２の状態より浴槽４に流入させる浴槽水量を減少させる第３の状態とに切替可能な特殊な三方弁であり、浴槽水の追い焚きを行っていない追い焚き停止時は、前記第１の状態で待機しているものである。
【００３０】
３８は給湯管１３途中から分岐されて風呂戻り管２９に接続され浴槽４への注湯を行う湯張り管、３９はこの湯張り管３８に設けられ浴槽４への注湯の開始、停止を行う湯張り弁、４０は浴槽４への注湯量をカウントする風呂流量センサ、４１は浴槽４の浴槽水が逆流するのを防止する二重に配設した逆止弁である。
【００３１】
前記リモコン５には、給湯設定温度を設定する給湯温度設定スイッチ４２および風呂設定温度を設定する風呂温度設定手段としての風呂温度設定スイッチ４３が設けられていると共に、浴槽４へ風呂設定温度の湯をリモコン５の湯張り量設定スイッチ（図示せず）で設定された湯張り量だけ湯張りし風呂温度設定スイッチ４３で設定した風呂設定温度または風呂設定温度に対して１〜２℃程度高い温度で所定時間保温運転させる風呂自動スイッチ４４と、浴槽４内の浴槽水を風呂熱交換器２７に循環させて、浴槽４内の浴槽水が追い焚き目標温度になるように加熱させる追い焚き運転を実行する追い焚きスイッチ４５が設けられているものである。
【００３２】
４６はリモコン５、ヒーポン制御部２６、流路切替制御部３７と無線または有線により接続され相互に通信すると共に、貯湯タンクユニット１内の各センサの入力を受け各アクチュエータの駆動を制御するマイコンを有し、給湯および風呂の制御を行う給湯風呂制御部である。
【００３３】
次に、図１に示す一実施形態の風呂装置の特徴的作動について図２に示した三方弁３６の動作説明図および図３に示すフローチャートに基づき説明する。
前記給湯風呂制御部４６に接続されたリモコン５の追い焚きスイッチ４５が操作され追い焚き運転が指示されると、給湯風呂制御部４６は、リモコン５の風呂温度設定スイッチ４３で設定された風呂設定温度や浴槽４内の浴槽水の温度等に基づき所望の追い焚き目標温度を設定し（ステップＳ１）、風呂循環ポンプ３１を駆動させる（ステップＳ２）。なお、流路切替制御部３７は、追い焚き運転が開始される前、すなわち追い焚き運転停止時に、三方弁３６を浴槽４をバイパスさせる前記第１の状態で待機させるものである。
【００３４】
ここで、リモコン５の風呂温度設定スイッチ４３にて設定された風呂設定温度が、例えば４０℃の場合、給湯風呂制御部４６は、風呂設定温度または風呂設定温度に対して１〜２℃程度高い温度、例えば４２℃を追い焚き目標温度として設定するものであり、さらに、給湯風呂制御部４６は、追い焚き運転の制御に用いる温度として、追い焚き目標温度よりも高い予め設定した第１温度、例えば６０℃と、追い焚き目標温度よりも高く前記第１温度よりも低い予め設定した第２温度、例えば５０℃とを記憶しているものである。
【００３５】
前記給湯風呂制御部４６は、前記ステップＳ２で風呂循環ポンプ３１を駆動させ、風呂循環回路３０内の浴槽水を循環させて、流路切替制御部３７は、風呂往き温度センサ３２で検出する浴槽水の温度が追い焚き目標温度、ここでは４２℃より低いか否かを判断し（ステップＳ３）、風呂往き温度センサ３２で検出する浴槽水の温度が追い焚き目標温度より低いと判断した場合は、三方弁３６を図２（ア）に示すように風呂往き管２８の風呂熱交換器２７側と浴槽バイパス管３５側を連通させると共に浴槽４側を閉塞させて、浴槽バイパス管３５→風呂戻り管２９→風呂熱交換器２７→風呂往き管２８→浴槽バイパス管３５という流路で浴槽水を循環させ、浴槽４をバイパスさせる第１の状態にさせ（ステップＳ４）、給湯風呂制御部４６は、風呂戻り温度センサ３３で検出する浴槽水の温度が追い焚き目標温度以上か否かを判断する追い焚き運転終了判定処理を行うものである（ステップＳ５）。ここでは、追い焚き運転を開始したばかりで、浴槽水の温度は追い焚き目標温度に達していないので、前記ステップＳ５で、風呂戻り温度センサ３３で検出する浴槽水の温度が追い焚き目標温度より低いと判断し、前記ステップＳ３の処理に戻るものである。
【００３６】
一方、前記ステップＳ３で、流路切替制御部３７が、風呂往き温度センサ３２で検出する浴槽水の温度が追い焚き目標温度以上であると判断した場合は、風呂往き温度センサ３２で検出する浴槽水の温度が前記第２温度、ここでは５０℃より低いか否かを判断し（ステップＳ６）、風呂往き温度センサ３２で検出する浴槽水の温度が第２温度より低いと判断した場合は、三方弁３６を図２（イ）に示すように風呂往き管２８の風呂熱交換器２７側と浴槽４側を連通させると共に浴槽バイパス管３５側を閉塞させて、浴槽４→風呂戻り管２９→風呂熱交換器２７→風呂往き管２８→浴槽４という流路で浴槽水を循環させ、風呂熱交換器２７で加熱された浴槽水の全量をそのまま浴槽４側に流入させる第２の状態にさせ（ステップＳ７）、前記ステップＳ５の処理に移行するものである。
【００３７】
また、前記ステップＳ６で、流路切替制御部３７が、風呂往き温度センサ３２で検出する浴槽水の温度が第２温度以上であると判断した場合は、風呂往き温度センサ３２で検出する浴槽水の温度が前記第１温度、ここでは６０℃より低いか否かを判断し（ステップＳ８）、風呂往き温度センサ３２で検出する浴槽水の温度が第１温度より低いと判断した場合は、三方弁３６を図２（ウ）に示すように全接続口３６ａ、３６ｂ、３６ｃを開放させ、風呂往き管２８の風呂熱交換器２７側と浴槽４側と浴槽バイパス管３５側の全てを連通させて、風呂熱交換器２７側から流入する浴槽水を浴槽４側と浴槽バイパス管３５側の両方に流出させ、前記第２の状態より浴槽４側に流出させる浴槽水を減少させる第３の状態にさせ（ステップＳ９）、前記ステップＳ５の処理に移行するものである。
【００３８】
また、前記ステップＳ８で、流路切替制御部３７が、風呂往き温度センサ３２で検出する浴槽水の温度が第１温度以上であると判断した場合は、三方弁３６を前記第１の状態にさせ（ステップＳ１０）、前記ステップＳ３の処理に移行するものである。ここで、前記ステップＳ８で、風呂往き温度センサ３２で検出する浴槽水の温度が第１温度以上であると判断した場合に、前記ステップＳ１０の処理の次に前記ステップＳ５の追い焚き運転終了判定処理に移行させないのは、追い焚き運転開始前に風呂熱交換器２７内に停滞していた高温の浴槽水が追い焚き運転開始と共に循環され、追い焚き運転を開始してまもなく風呂戻り温度センサ３３で検出されると、浴槽水の全量を追い焚き目標温度まで追い焚きしていないにも関わらず、追い焚き運転を終了してしまうのを防止するためであり、風呂往き温度センサ３２で検出する浴槽水の温度が第１温度以上であると判断した場合は、前記ステップＳ１０から前記ステップＳ３の処理に移行させ、風呂往き温度センサ３２で検出する浴槽水の温度が第１温度以上であると最後に判断した時から、所定時間、例えば高温の浴槽水が風呂戻り温度センサ３３を通過するまでの時間は、給湯風呂制御部４６は前記ステップＳ５の追い焚き運転終了判定処理を行わず、流路切替制御部３７はその所定時間の間、風呂往き温度センサ３２で検出する浴槽水の温度に応じて、三方弁３６を制御するようにしてもよいものである。
【００３９】
上記のように、前記追い焚き運転を行って、前記ステップＳ５の追い焚き運転終了判定処理で前記給湯風呂制御部４６が、風呂戻り温度センサ３３で検出する浴槽水の温度が追い焚き目標温度以上であると判断したら、追い焚き運転を終了し、流路切替制御部３７は、三方弁３６を浴槽をバイパスさせる前記第１の状態で待機させるものである。
【００４０】
次に、前記追い焚き運転開始後の所定の期間の風呂往き温度センサ３２で検出する浴槽水の温度状況について簡単に説明する。ここで、初期条件として、追い焚き運転開始前に、風呂熱交換器２７内には７０℃程度の高温の浴槽水、風呂往き管２８及び風呂戻り管２９内には２０℃程度の低温の浴槽水が滞留しているものとする。
【００４１】
前記追い焚き運転が開始されると、風呂往き温度センサ３２は、風呂往き管２８に滞留している２０℃程度の浴槽水の温度をしばらく検出し、その間は、前記ステップＳ４で流路切替制御部３７は三方弁３６を前記第１の状態にしておく。その後、風呂往き温度センサ３２は、循環してきた風呂熱交換器２７内の７０℃程度の高温の浴槽水の温度をしばらく検出し、その間は、ステップＳ１０で流路切替制御部３７は三方弁３６を前記第１の状態にして浴槽４をバイパスさせるものである。
【００４２】
そして、風呂熱交換器２７内の７０℃程度の高温の浴槽水が通過した後、風呂往き温度センサ３２は、当初風呂戻り管２９に滞留し風呂熱交換器２７に循環され加熱された追い焚き目標温度以上で前記第１温度より低い浴槽水の温度を検出し、流路切替制御部３７はステップＳ７で三方弁３６を前記第２の状態または前記ステップＳ９で前記第３の状態にしておくものであり、この時に、浴槽４内の浴槽水が風呂熱交換器２７に循環され始め、ここからは、風呂往き温度センサ３２で検出する浴槽水の温度に応じて、流路切替制御部３７は三方弁３６を制御していくものである。なお、浴槽４をバイパスした７０℃程度の高温の浴槽水は、風呂循環回路３０を循環され、風呂往き温度センサ３２で検出される度、浴槽４をバイパスさせられるものである。
【００４３】
以上説明した追い焚き運転において、前記ステップＳ３で流路切替制御部３７が、風呂往き温度センサ３２で検出する浴槽水の温度が追い焚き目標温度より低いと判断した場合は、前記ステップＳ４で三方弁３６を前記第１の状態としたことで、追い焚き運転開始前に、風呂循環回路３０に滞留していた低温の浴槽水を、追い焚き運転時に、浴槽３内に流入させることがないので、浴槽３内に低温の浴槽水が流入することによる不快感を入浴者に与えることがなく、快適な追い焚きを提供できるものである。
【００４４】
また、前記ステップＳ６で流路切替制御部３７が、風呂往き温度センサ３２で検出する浴槽水の温度が、追い焚き目標温度以上且つ第２温度より低いと判断した、追い焚き目標温度より少し高い温度で入浴者に不快感を与えない温度範囲の場合は、前記ステップＳ７で三方弁３６を前記第２の状態としたことで、追い焚き運転時に、追い焚きをスムーズに行うことができ、さらに、前記ステップＳ８で流路切替制御部３７が、風呂往き温度センサ３２で検出する浴槽水の温度が、第２温度以上且つ第１温度より低いと判断した、入浴者に不快感を与えるかもしれない温度範囲の場合は、前記ステップＳ９で三方弁３６を前記第３の状態としたことで、追い焚き運転時に、浴槽４内に流入させる浴槽水量を減少させることにより、入浴者が体感する熱さを緩和させることができ、入浴者に不快感を与えることがなく、快適な追い焚きを提供できるものである。
【００４５】
また、前記ステップＳ８で流路切替制御部３７が、風呂往き温度センサ３２で検出する浴槽水の温度が第１温度より高いと判断した、追い焚き目標温度に比べて著しく高く入浴者に不快感を与える温度の場合は、前記ステップＳ１０で三方弁３６を前記第１の状態としたことで、追い焚き運転開始前に風呂熱交換器２７内に滞留していた高温の浴槽水が、追い焚き運転時に循環されたとしても、高温の浴槽水を浴槽４内に流入させることがないので、入浴者に熱過ぎるといった不快感を与えることがなく、快適な追い焚きを提供できるものである。
【００４６】
また、追い焚き運転前や追い焚き運転終了後、すなわち追い焚き運転停止時は、三方弁３６を前記第１の状態で待機させることで、追い焚き運転停止時に、流路切替制御部３７や給湯風呂制御部４６が、風呂往き温度センサ３２や風呂戻り温度センサ３３で検出する風呂往き管２８内または風呂戻り管２９内の浴槽水の温度が凍結防止温度に低下したことを検出し、風呂循環ポンプ３１を駆動させて風呂循環回路３０の凍結防止運転を行った場合であっても、風呂循環回路３０に滞留する低温の浴槽水を浴槽４内に流入させることがないので、浴槽４内の湯温を下げることがないものであり、この時に入浴者が入浴していた場合でも、浴槽４内に低温の浴槽水が流入させることがなく、低温の浴槽水侵入による不快感を入浴者に与えることがないものである。
【００４７】
なお、上記の一実施形態では、浴槽水を加熱する追い焚き運転時において本発明の制御を適用したが、本発明は上記の一実施形態に限定されるものではなく、リモコン５の風呂自動スイッチ４４を操作した時の、浴槽水を保温する保温運転時においても本発明の制御を適用してもよいものである。
【００４８】
また、上記の一実施形態では、前記ステップＳ８で、風呂往き温度センサ３２で検出する浴槽水の温度が第１温度より低いと判断した場合は、前記ステップＳ９で、三方弁３６を風呂往き管２８の風呂熱交換器２７側と浴槽４側と浴槽バイパス管３５側の全てを連通させ、風呂熱交換器２７側から流入する浴槽水を浴槽４側と浴槽バイパス管３５側の両方に流出させ、前記第２の状態より浴槽４側に流出させる浴槽水を減少させる第３の状態にしたが、前記第３の状態は、三方弁３６の内方の弁体を調整し、風呂熱交換器２７側から流入する浴槽水を、浴槽４側と浴槽バイパス管３５側の両方に５０％ずつ流出させる状態でもよく、風呂往き温度センサ３２で検出する浴槽水の温度が、前記第２温度に近いほど、風呂熱交換器２７側から流入する浴槽水を、浴槽バイパス管３５側よりも浴槽４側に多く流出させると共に、風呂往き温度センサ３２で検出する浴槽水の温度が、前記第１温度に近いほど、風呂熱交換器２７側から流入する浴槽水を、浴槽４側よりも浴槽バイパス管３５側により多く流出させる状態としてもよいものであり、風呂往き温度センサ３２で検出する浴槽水の温度が、前記第２温度以上かつ前記第１温度より低い場合は、三方弁３６を前記第２の状態より浴槽３側に流出させる浴槽水を減少させる状態とするという要旨を変更しない範囲で様々な変形を可能とするものである。
【００４９】
また、上記の一実施形態では、前記流路切替制御部３７が、給湯風呂制御部４６から独立して、風呂往き温度センサ３２の入力を受けて三方弁３６の駆動を制御しているが、前記給湯風呂制御部４６が流路切替制御部３７の機能を有していてもよく、その際は、給湯風呂制御部４６に風呂往き温度センサ３２および三方弁３６を配線接続させるものである。
【００５０】
また、上記の一実施形態では、三方弁３６を、浴槽バイパス管３５の風呂往き管２８との接続部分に設けたが、浴槽バイパス管３５の風呂戻り管２９との接続部分に設けてもよいものである。
【００５１】
また、上記の一実施形態では、風呂往き管２８および風呂戻り管２９からなる風呂循環回路３０に浴槽バイパス管３５と三方弁３６とを設けたが、浴槽４の側壁に固定されるバスアダプタ（図示せず）内に浴槽バイパス管３５と三方弁３６とを設けてもよいものである。
【００５２】
また、上記の一実施形態では、三方弁３６を流路切替手段として用いたが、三方弁３６の代わりに、浴槽バイパス管３５に第１開閉弁を設けると共に、風呂往き管２８と浴槽バイパス管３５との接続部分、または風呂戻り管２９と浴槽バイパス管３５との接続部分よりも浴槽４側の風呂往き管２８または風呂戻り管２９に第２開閉弁を設け、２つの開閉弁を流路切替手段として用いて、第１開閉弁を開、第２開閉弁を閉として前記第１の状態とし、第１開閉弁を閉、第２開閉弁を開として前記第２の状態とし、第１開閉弁を開、第２開閉弁を開として前記第３の状態とすることで、本発明の制御を行ってもよいものである。
【００５３】
また、本発明は上記の一実施形態に限定されるものではなく、この実施形態ではヒートポンプユニット３で加熱された高温の温水が貯湯された貯湯タンク２内に風呂熱交換器２７を配設し、貯湯タンク２内の高温の温水を加熱手段として利用し風呂熱交換器２７内の浴槽水を熱交換により加熱する構成のものに本発明の制御を適用したが、電気ヒータを貯湯タンク２内に配設し、貯湯タンク２内の湯水を高温に加熱する電気温水器において、貯湯タンク２内に風呂熱交換器２７が配設され、貯湯タンク２内の高温の温水を加熱手段として利用し風呂熱交換器２７内の浴槽水を熱交換により加熱する構成のものに本発明の制御を適用してもよく、さらに、ガスや石油を燃料とし、給湯用の熱交換器と風呂熱交換器２７とが同一フィンに連結され１つのバーナで加熱される１缶２水路式と呼ばれるガス給湯機や石油給湯機において、バーナの燃焼熱を加熱手段として利用し風呂熱交換器２７内の浴槽水を熱交換により加熱する構成のものに本発明の制御を適用してもよいものであり、本発明の要旨を変更しない範囲で様々な変形が可能であり、これを妨げるものではない。
【００５４】
次に、図４に示す他の実施形態について説明するが、この実施形態は先に説明した一実施形態と同じ構成についての説明は省略し、相違点についてのみ説明すると、風呂熱交換器２７の近傍で風呂循環ポンプ３１よりも風呂熱交換器２７側の風呂往き管２８と風呂戻り管２９を連通し、風呂熱交換器２７をバイパスする風呂熱交バイパス管４７と、この風呂熱交バイパス管４７の風呂戻り管２９との接続部分には第２流路切替手段として第２三方弁４８とを設けたものである。
【００５５】
前記第２三方弁４８は、流入側の接続口４８ａに風呂戻り管２９の浴槽４側を接続し、２つの流出側の接続口４８ｂ、４８ｃのうち、一方の接続口４８ｂには風呂熱交換器２７の入口側を接続し、他方の接続口４８ｃには風呂熱交バイパス管４７側を接続するものであり、ステッピングモータの駆動で内方の弁体を動かして、風呂戻り管２９の浴槽４側と風呂熱交バイパス管４７側を連通すると共に風呂熱交換器２７側を閉塞し、浴槽４からの浴槽水を風呂熱交バイパス管４７側に流し風呂熱交換器２７をバイパスさせる第４の状態と、風呂戻り管２９の浴槽４側と風呂熱交換器２７側を連通すると共に風呂熱交バイパス管４７側を閉塞し、浴槽４からの浴槽水をそのまま風呂熱交換器２７に流入させる第５の状態とに切替可能とし、前記給湯風呂制御部４６は、前記追い焚き運転時に、第２三方弁４８を第５の状態にすると共に、前記追い焚き運転停止時には、第２三方弁４８を前記第４の状態で待機させるようにしたものである。
【００５６】
上記のように、追い焚き運転停止時は、流路切替制御部３７が三方弁３６を前記第１の状態で待機させると共に、給湯風呂制御部４６が第２三方弁４８を前記第４の状態で待機させることで、追い焚き運転停止時に、流路切替制御部３７や給湯風呂制御部４６が、風呂往き温度センサ３２や風呂戻り温度センサ３３で検出する風呂往き管２８内または風呂戻り管２９内の浴槽水の温度が凍結防止温度に低下したことを検出し、風呂循環ポンプ３１を駆動させて風呂循環回路３０の凍結防止運転を行った場合であっても、風呂循環回路３０に滞留する低温の浴槽水を浴槽４内に流入させることがないので、浴槽４内の湯温を下げることがないものであり、この時に入浴者が入浴していた場合でも、浴槽４内に低温の浴槽水が流入させることがなく、低温の浴槽水侵入による不快感を入浴者に与えることがないものであり、さらに、風呂循環回路３０に滞留する低温の浴槽水を風呂熱交換器２７に循環させることがないので、貯湯タンク２内の湯水の温度を低下させることがなく、給湯等に使用する熱量を無駄することがないものである。
【００５７】
なお、上記の他の実施形態では、浴槽水を加熱する追い焚き運転時は、第２三方弁４８を前記第５の状態とするようにしたが、追い焚き運転時に、風呂往き温度センサ３２で検出する浴槽水の温度が前記第１温度以上であると判断した場合は、第２三方弁４８を前記第４の状態としてもよく、そうすると、浴槽バイパス管３５→風呂戻り管２９→風呂熱交バイパス管４７→風呂往き管２８→浴槽バイパス管３５という閉流路で浴槽水を循環させることになり、追い焚き運転開始前に、風呂熱交換器２７内に停滞していた高温の浴槽水が、追い焚き運転時に風呂往き温度センサ３２で検出されると、上記の閉流路で浴槽水が循環され、循環に伴って高温の浴槽水は放熱され温度が低下する。そして、風呂往き温度センサ３２で検出する浴槽水の温度が前記第１温度より低くなったら、三方弁３６を前記第２の状態、前記第３の状態に適宜調整して、浴槽４側に流入させることで、高温の浴槽水流入による不快感を与えることがなく、快適な追い焚きを提供できるものである。
【符号の説明】
【００５８】
４  浴槽
２７  風呂熱交換器
２８  風呂往き管
２９  風呂戻り管
３０  風呂循環回路
３１  風呂循環ポンプ
３２  温度検出手段
３５  浴槽バイパス管
３６  流路切替手段
【図１】
2011012891.tif 000003
【図２】
2011012891.tif 000004
【図３】
2011012891.tif 000005
【図４】
2011012891.tif 000006
【図５】
2011012891.tif 000007